(57)【特許請求の範囲】
【請求項１】
クライアントシステムからプリント注文を受け付け、プリント注文に係る画像データがアップロードされるサーバーシステムと、
このサーバーシステムから前記画像データ及び注文データをダウンロードし、プリント注文に係る写真プリントを作成する写真処理システムとを備え、
前記写真処理システムは、プリントサイズに関するプリントデータをＩＤと関連付けて設定するプリントデータ設定手段と、
このプリントデータ設定手段により設定された前記プリントデータ及びＩＤを記憶するプリントデータ記憶手段と、
前記プリントデータ設定手段により設定された前記プリントデータ及びＩＤを前記サーバーシステムへと送信させるデータ送信手段とを備え、
前記サーバーシステムは、前記写真処理システムから送信されてきた前記プリントデータ及びＩＤを登録するデータベースを備えていることを特徴とするオンラインプリント注文システム。
【請求項２】
前記サーバーシステムから前記写真処理システムへダウンロードされる前記注文データには、前記ＩＤが含まれており、前記写真処理システムは、前記ＩＤに基づいて作成すべき写真プリントのプリントサイズを設定するように構成されていることを特徴とする請求項１に記載のオンラインプリント注文システム。
【請求項３】
請求項１又は２に記載のオンラインプリント注文システムに用いられる写真処理システムであって、
プリントサイズに関するプリントデータをＩＤと関連付けて設定するプリントデータ設定手段と、
このプリントデータ設定手段により設定された前記プリントデータ及びＩＤを記憶するプリントデータ記憶手段と、
前記プリントデータ設定手段により設定された前記プリントデータ及びＩＤをサーバーシステムへと送信させるデータ送信手段とを備えたことを特徴とする写真処理システム。
【請求項４】
前記サーバーシステムからダウンロードされた注文データに含まれるＩＤを解析し、当該ＩＤに対応するプリントデータを前記プリントデータ記憶手段から取得するデータ解析手段を備えたことを特徴とする請求項３に記載の写真処理システム。
【請求項５】
前記プリントデータ設定手段は、サーバーシステムへデータを送信するか否かをプリントサイズごとに設定可能に構成されていることを特徴とする請求項３又は４に記載の写真処理システム。
【請求項６】
前記データ送信手段により送信されるデータには、写真店を特定するＩＤも含まれることを特徴とする請求項３〜５のいずれか１項に記載の写真処理システム。
【請求項７】
請求項３〜６のいずれか１項に記載の写真処理システムに設けられたコンピュータにインストールされるプリントデータ処理プログラムであって、
プリントサイズに関するプリントデータをＩＤと関連付けて設定するプリントデータ設定処理と、
このプリントデータ設定処理により設定された前記プリントデータ及びＩＤを記憶手段に記憶させる処理と、
前記プリントデータ設定処理により設定された前記プリントデータ及びＩＤをサーバーシステムへと送信させる処理とをコンピュータに実行させることを特徴とするプリントデータ処理プログラム。
【発明の詳細な説明】
【０００１】
【発明の属する技術分野】
本発明は、インターネット等のネットワークを介して顧客からオンラインで写真プリントの注文を受けることのできるオンラインプリント注文システム及びこのシステムに用いられる写真処理システム及びプリントデータ処理プログラムに関する。
【０００２】
【従来の技術】
インターネットの普及に伴い、オンラインにより写真プリントの注文を受けるシステムが知られている。例えば、インターネット上に存在するサーバーシステム（Ｗｅｂサイト）を利用するシステムである。顧客は、直接写真店に来店しなくても、Ｗｅｂサイトを経由してプリント注文を行うことができる。プリント処理が終了した後に、顧客は直接写真店に来店するか、写真店から配送してもらうことで写真プリントを受け取ることができる。
【０００３】
かかるシステムを構築するために、プリントデータの設定をサーバーシステムと写真店の写真処理システム（写真処理装置）の両方に行わなければならない。ここで、プリントデータとは、プリントサイズに関するデータのことであり、例えば、プリント名称、プリント幅、プリント高さ、プリント価格等である。顧客が、Ｗｅｂサイト上でプリント注文を行うためには、プリントサイズに関するデータを画面上で表示させる必要がある。例えば、Ｌサイズ、２Ｌサイズといった情報であり、顧客は、コンピュータ画面上でプリントサイズの指定を行う。
【０００４】
写真店に設置される写真処理システムにおいては、プリント処理を行うために、上記のプリントデータを設定しておく必要がある。また、サーバーシステムにも同様のプリントデータを設定しておく必要がある。写真処理システムでは、オンラインでプリント注文を受け付けた場合、サーバーシステムから画像データといっしょにプリントデータもダウンロードする。ダウンロードしたプリントデータを利用して、写真プリントを作成するようにしている。
【０００５】
【発明が解決しようとする課題】
しかしながら、写真処理システムへプリントデータを設定する作業と、サーバーシステムへプリントデータを設定する作業を別々に行っており、オペレータにとって、設定作業が煩雑になっている。写真処理システムとサーバーシステムへ設定するプリントデータは、基本的には同じものでなければならない。しかし、上記のように、設定作業を別々に行っていたのでは、作業が煩雑になるだけでなく、設定ミスを行う可能性がある。したがって、顧客が依頼したプリントサイズとは、異なるプリントサイズの写真プリントを作成してしまう可能性がある。
【０００６】
本発明は上記実情に鑑みてなされたものであり、その課題は、写真処理システムとサーバーシステムの双方でプリントデータを設定するにあたり、作業の煩雑さを軽減し、かつ、確実にデータの設定を行うことができるオンラインプリント注文システムを提供することである。
【課題を解決するための手段】
上記課題を解決するため本発明に係るオンラインプリント注文システムは、 クライアントシステムからプリント注文を受け付け、プリント注文に係る画像データがアップロードされるサーバーシステムと、
このサーバーシステムから前記画像データ及び注文データをダウンロードし、プリント注文に係る写真プリントを作成する写真処理システムとを備え、
前記写真処理システムは、プリントサイズに関するプリントデータをＩＤと関連付けて設定するプリントデータ設定手段と、
このプリントデータ設定手段により設定された前記プリントデータ及びＩＤを記憶するプリントデータ記憶手段と、
前記プリントデータ設定手段により設定された前記プリントデータ及びＩＤを前記サーバーシステムへと送信させるデータ送信手段とを備え、
前記サーバーシステムは、前記写真処理システムから送信されてきた前記プリントデータ及びＩＤを登録するデータベースを備えていることを特徴とするものである。
【０００７】
この構成によるオンラインプリント注文システムの作用・ 効果は、以下の通りである。このシステムは、サーバーシステムとクライアントシステムと写真処理システムとがネットワークにより接続されている。オンラインのプリント注文受け付けは、サーバーシステムを窓口として行われる。顧客がプリント注文を行う時は、クライアントシステムからサーバーシステムへと画像データのアップロードを行う。また、プリント注文手続を行うと、注文データが生成される。注文データは、画像データ以外のプリント処理を行うために必要なデータである。これら画像データと注文データは、サーバーシステムに一旦保存される。写真処理システムは、上記の画像データと注文データをダウンロードすることで、写真プリントを作成する処理を行うことができる。注文データには、例えば、後述するプリントデータや、顧客データ等が含まれる。
【０００８】
以上のようなシステムを構築するにあたり、プリントサイズに関するプリントデータを写真処理システムとサーバーシステムの両方に設定する必要がある。ここでプリントデータとは、 例えば、プリント名称、プリント幅、プリント高さ、プリント価格等である。
【０００９】
まず、写真処理システムには、プリントデータ設定手段が設けられており、プリントデータとＩＤを関連付けて設定することができる。つまり、ＩＤを指定することで、プリントサイズを特定することができるようになる。この設定されたプリントデータ及びＩＤは、プリントデータ記憶手段に記憶される。そして、この設定されたプリントデータ及びＩＤをサーバーシステムへと送信させることができる。サーバーシステムでは、この送信されてきたプリントデータ及びＩＤをデータベースに登録する。
【００１０】
以上の構成によれば、写真店におけるオペレータのマニュアル操作（データの入力操作）は、写真処理システムへの設定のみであり、サーバーシステムへの設定は自動的に行われる。したがって、オペレータの設定操作が軽減されることになる。また、写真処理システムに設定したプリントデータと同じものが、サーバーシステムへと送信されるようになっている。したがって、写真処理システムとサーバーシステムとで間違えて異なるプリントデータが設定されてしまうというミスを防ぐことができる。その結果、写真処理システムとサーバーシステムの双方でプリントデータを設定するにあたり、作業の煩雑さを軽減し、かつ、確実にデータの設定を行うことができるオンラインプリント注文システムを提供することができる。
【００１１】
本発明の好適な実施形態として、前記サーバーシステムから前記写真処理システムへダウンロードされる前記注文データには、前記ＩＤが含まれており、前記写真処理システムは、前記ＩＤに基づいて作成すべき写真プリントのプリントサイズを設定するように構成されているものがあげられる。
【００１２】
サーバーシステムから画像データと注文データをダウンロードしてプリント処理を行う際に、プリントサイズに関するプリントデータが必要になる。ここで、写真店のオペレータが、プリントデータの内容をモニター画面に表示させて確認をし、プリント処理を行うためのプリントサイズを改めて設定するという方法もある。しかし、ダウンロードされたプリントデータを確認した後、これを改めて設定するようにすると、設定の作業が煩雑になるだけでなく、設定ミスが発生する可能性がある。
【００１３】
そこで、ダウンロードされる注文データの中に含まれるＩＤを利用し、これに基づいて写真処理システムが自動的にプリントサイズを設定できるようにする。これができるのは、プリントデータ記憶手段にプリントデータとＩＤとが関連付けて記憶されているので、ＩＤさえあればプリントデータを引き出すことができるからである。これにより、プリント処理における設定作業の煩雑さを解消し、プリントサイズの設定を確実に行うことができる。
【００１４】
本発明に係るオンラインプリント注文システムに用いられる写真処理システムは、
プリントサイズに関するプリントデータをＩＤと関連付けて設定するプリントデータ設定手段と、
このプリントデータ設定手段により設定された前記プリントデータ及びＩＤを記憶するプリントデータ記憶手段と、
前記プリントデータ設定手段により設定された前記プリントデータ及びＩＤをサーバーシステムへと送信させるデータ送信手段とを備えたことを特徴とするものである。
【００１５】
この構成によれば、既に述べたように、写真店におけるオペレータのデータの入力操作は、写真処理システムへの設定のみであるので、オペレータの設定操作が軽減される。また、写真処理システムに設定したプリントデータと同じものが、サーバーシステムへと送信されるので、写真処理システムとサーバーシステムとで間違えて異なるプリントデータが設定されてしまうというミスを防ぐことができる。その結果、オペレータの作業の煩雑さを軽減し、かつ、確実にデータの設定を行うことができるオンラインプリント注文システムに用いられる写真処理システムを提供することができる。
【００１６】
本発明の好適な実施形態として、前記サーバーシステムからダウンロードされた注文データに含まれるＩＤを解析し、当該ＩＤに対応するプリントデータを前記プリントデータ記憶手段から取得するデータ解析手段を備えたものがあげられる。
【００１７】
この構成によると、ダウンロードされる注文データの中に含まれるＩＤを利用し、これに基づいて写真処理システムが自動的にプリントサイズを設定できるようにする。これにより、プリント処理における設定作業の煩雑さを解消し、プリントサイズの設定を確実に行うことができる。
【００１８】
本発明の別の好適な実施形態として、 前記プリントデータ設定手段は、サーバーシステムへデータを送信するか否かをプリントサイズごとに設定可能に構成されているものがあげられる。
【００１９】
写真店の要望により、オンラインでプリント注文を受ける場合のプリントサイズを限定したい場合がある。そこで、写真処理システムにおいて設定したプリントデータのうち、特定のプリントサイズについてのみサーバーシステムへ送信できるように設定できるようにすれば、写真店にとって都合のよいシステムを構築することができる。
【００２０】
本発明の更に別の好適な実施形態として、 前記データ送信手段により送信されるデータには、写真店を特定するＩＤも含まれるものがあげられる。
【００２１】
写真店を特定するＩＤもあわせてサーバーシステムに送信することで、写真店ではプリントデータのＩＤを自由に設定することができる。例えば、異なるプリントサイズについて、同じプリントデータＩＤをＡ写真店とＢ写真店がたまたま使用していたとしても、写真店のＩＤとあわせて設定することで、プリント処理すべきプリントサイズを特定することができる。
【００２２】
本発明の写真処理システムに設けられたコンピュータにインストールされるプリントデータ処理プログラムは、
プリントサイズに関するプリントデータをＩＤと関連付けて設定するプリントデータ設定処理と、
このプリントデータ設定処理により設定された前記プリントデータ及びＩＤを記憶手段に記憶させる処理と、
前記プリントデータ設定処理により設定された前記プリントデータ及びＩＤをサーバーシステムへと送信させる処理とをコンピュータに実行させることを特徴とするものである。
かかるプログラムを用いることの作用・ 効果は、既に述べた通りである。
【００２３】
【発明の実施の形態】
本発明に係るオンラインプリント注文システムの好適な実施形態を図面を用いて説明する。図１は、オンラインプリント注文システムの概略構成を示す模式図である。
【００２４】
＜システムの概略構成＞
このオンラインプリント注文システムは、主として写真処理システム１、サーバーシステム２、クライアントシステム３により構成され、ネットワークの１形態であるインターネットにより接続されている。なお、ネットワークの形態としては、特定のものに限定されるものではなく、インターネット以外のネットワークでもよく、また、有線、無線、有線と無線の組み合わせによりネットワークを構築することができる。
【００２５】
写真処理システム１は、プリンタプロセッサー１０を中核として構成され、サーバーシステム２と通信を行うためのパソコン１１と通信手段により接続されている。また、プリンタプロセッサー１０の内部にもコンピュータ１０ａが設けられている。写真処理システム１は、サーバーシステム２から画像データをダウンロードして、写真プリントを作成できるが、その他に、現像済み写真フィルムの画像をスキャニングすることで画像データを取得する機能も有する。また、画像データを用いて写真感光材料に画像を焼付露光するため、デジタル式の露光エンジンを備えている。露光エンジンはレーザーエンジン、ＣＲＴエンジン、ＰＬＺＴエンジン等の適宜の方式のものを採用することができる。なお、上記説明した写真処理システム１やプリンタプロセッサー１０の構成は、１例を示すものであり、特定の構成のものに限定されるものではない。
【００２６】
サーバーシステム２は、１台又は複数台のサーバー装置２０により構成される。サーバー装置２０は、インターネットを介してオンラインによるプリント注文を受けるためのＷｅｂサイト (ホームページ) を提供する。オンラインによるプリント注文を受けると、クライアントシステム３からサーバー装置２０に画像データがアップロードされ、サーバー装置２０のハードディスクに記憶される。
【００２７】
クライアントシステム３は、顧客の有するパソコン３０を中核として構成される。オンラインでプリント注文を行いたい顧客は、パソコン３０を用いて、サーバー装置２０にアクセスし、上記ホームページを開く。そして、画像データをサーバーシステム２へとアップロードする。画像データとしては、例えば、デジタルカメラ４により撮影したものをパソコン３０内部に取り込み、これをアップロードすることができる。
【００２８】
＜システムの機能ブロック図＞
次に、オンラインプリント注文システムを構成する写真処理システム１、サーバーシステム２等の機能ブロック構成を図２により説明する。
【００２９】
まず、写真処理システム１から説明する。入力手段１２は、例えば、キーボードやマウスにより構成されるものであり、プリントデータを設定するためのデータ等の入力や、プリンタプロセッサー１０の各部へ指令を与えるための入力を行う。プリントデータ設定手段１３は、プリントサイズに関するプリントデータを設定するものである。ここでプリントデータとは、プリント名称、プリント幅、プリント高さ、プリント価格が含まれる。また、各プリントサイズについて、オンラインによりプリント注文を受けるか否かのデータも含まれる。また、プリントサイズには、縁有りと縁無しの２種類が有り、縁有りの場合は、縁の寸法もプリントデータに含まれる。なお、プリント幅とプリント高さが同じであったとしても、面質が異なったり、縁有りと縁無しの違いがあれば、 プリントサイズは異なるものとして扱う。このプリントデータ設定手段１３は、プリントデータ処理プログラム (ソフトウェア) の１つの機能として考えることができる。また、１つのプリントサイズについて、ＩＤ（識別符号) が１つ割り当てられる。すなわち、 ＩＤを指定すれば、プリントサイズがただ１つ決まる。
【００３０】
プリントデータ記憶手段１４は、プリントデータ設定手段１３により設定したプリントデータとＩＤを関連付けて記憶 (登録) する。一旦記憶されたプリントデータとＩＤについては、適宜修正したり、データを削除したり、新規に登録したりすることができる。プリントデータ記憶手段１４は、ハードディスク等の記憶装置により構成される。
【００３１】
モニター制御部１５は、モニター１６に表示させる内容を制御する。プリントデータ設定手段１３により、プリントデータの設定を行う場合は、モニター１６に設定画面を表示させる。また、プリント処理すべき画像を表示させたり、その他、プリント処理を行うのに必要な画面を表示させる。
【００３２】
データ送信手段１７は、サーバー装置２０にプリントデータ設定手段１３により設定したプリントデータとＩＤを送信することができる。また、その他、サーバーシステム２へ必要なデータを送信することができる。データ受信手段１８は、サーバーシステム２からプリント注文に係るデータをダウンロードすることができる。すなわち、 顧客からオンラインプリント注文があった場合は、画像データと注文データをダウンロードすることができる。
【００３３】
サーバーシステム２からダウンロードした画像データは、画像データ記憶部１９に一旦保存される。また、注文データも注文データ記憶部２１に一旦保存される。注文データには、画像データ以外のプリント注文に関するデータが含まれる。例えば、注文データには、前述したプリントサイズを特定するためのＩＤや、顧客データ、代金決済に関するデータ等が含まれる。データ解析手段２２は、ダウンロードした注文データの中に含まれるＩＤを抽出し、このＩＤに対応するプリントデータをプリントデータ記憶手段１４に記憶されているデータに基づいて解析する。すなわち、 このＩＤに基づいて、自動的にプリントサイズが設定されるようになっている。データ解析手段２２も前述したプリントデータ処理プログラムの１つの機能として実現することができる。
【００３４】
画像処理部２３は、画像データ記憶部１９に記憶されている画像データに対して画像処理を施し、露光エンジン２４へと画像データを転送する。画像処理部２３は、例えば、画像処理ＬＳＩを中核として構成することができる。画像処理には、適切なプリントを得るための、色・ 濃度の補正等が含まれる。
【００３５】
次に、サーバーシステム２の機能について説明する。送受信部３１は、インターネットを介してクライアントシステム３や写真処理システム１とデータの送受信を行う。そして、アクセス要求があった場合、ＨＴＭＬデータ保存部３２に格納されているホームページデータを送信する。また、クライアントシステム３からアップロードされる画像データを受信する。また、写真処理システム１へ画像データや注文データをダウンロードさせる。
【００３６】
ＨＴＭＬデータ保存部２３には、ホームページ用のデータ（ＨＴＭＬファイル) が多数格納されている。データベース制御部３３は、サーバーシステム２内の各種データベースを制御する。
【００３７】
顧客データベース３４には、本システムによるプリント注文を利用できる顧客情報が登録されている。本システムを利用するためには、顧客は、まず本システムのホームページにアクセスし、会員となる必要がある。会員となると、顧客ＩＤと会員パスワードが付与される。一方、写真店データベース３５にも、本システムによるプリント注文を利用できる写真店の情報が登録される。写真店も、同様に、会員となる必要があり、会員になると、写真店ＩＤとパスワードが付与される。以上のように、顧客と写真店の双方が会員となり、ＩＤとパスワードが必要である。
【００３８】
プリントデータ・データベース３６には、各写真店ごとに、プリントデータとそのＩＤが登録されている。プリントデータとそれに対応するＩＤは、各写真店ごとに自由に設定することができる。つまり、プリントサイズは、写真店のＩＤと、その写真店において設定されたプリントデータのＩＤとの組み合わせに基づいて、一意に定めることができる。画像データベース３７には、顧客がオンラインプリント注文を行った場合に、その顧客ＩＤ及び顧客の指定した写真店ＩＤと関連付けられて、画像データと注文データとが登録される。これら画像データと注文データについては、写真処理システム１によりダウンロードされた後の適当な時期に、データベースから削除される。
【００３９】
＜プリントデータ設定＞
次に、プリントデータ設定処理の手順を図３のフローチャート、図４の設定画面を利用して説明する。まず、写真処理システム１では、プリントデータ処理プログラムを立ち上げ、プリントデータ設定画面を開く（＃１０）。この画面の構成例が図４に示される。
【００４０】
この画面では、プリント名称、プリント高さ、プリント幅、縁の寸法、プリント価格、オンラインのＹｅｓ／Ｎｏが示される。プリント名称には、縁有り、縁無しといった情報や、光沢面か絹面かといった写真感光材料の面質情報も含まれている。また、縁有りの場合は、縁のサイズも設定することができる。また、オンラインのＹｅｓ／Ｎｏについては、これをＹｅｓの設定を行ったプリントサイズについてのみ、オンラインでプリント注文を受けることができる。これは写真店の都合により、オンラインでプリント注文を受けたくないようなプリントサイズもあるからである。以上のように、この画面上でプリントデータの設定を行う（＃１１）。
【００４１】
次に、画面上に示される設定内容で問題がなければ、画面上のＯＫボタンをクリックする（＃１２）。これにより、設定したプリントデータがプリントデータ記憶手段１４に記憶される（＃１３）。ここで記憶されるプリントデータファイルは、図５に示すようなテキストデータである。
【００４２】
ここで、shop=1051 とあるが、これが写真店のＩＤを表わすデータである。また、[size 1],[size 2] とあるのは、プリントデータのＩＤであり、各プリントサイズごとにＩＤが付与される。なお、ＩＤの構成については、文字・ 数字・ 記号を適宜組み合わせたものを使用できる。
【００４３】
以上のように設定したプリントデータをサーバーシステム２へ送信する場合は、モニター１６にデータ送信用の画面 (不図示) を表示させて、プリントデータ送信ボタンをクリックする（＃１４）。なお、プリントデータを送信するタイミングは、プリントデータを設定し、記憶した直後である必要はない。送信ボタンのクリックにより、図５に示されるプリントデータファイルが送信される（＃１５）。
【００４４】
サーバーシステム２では、プリントデータファイルを受信する（＃１６）。そして、そのファイルの内容を解析し、プリントデータ・データベース３６にプリントデータを登録する（＃１７）。ファイルのテキストデータには、写真店のＩＤが含まれるため、どの写真店のプリントデータとして登録すべきかを自動認識することができる。
【００４５】
＜オンラインプリント注文手順＞
次に、顧客がオンラインプリント注文を行う場合の手順を図６のフローチャートを用いて説明する。
【００４６】
まず、顧客はパソコン内にあらかじめ画像データを入力させておく。そして、ブラウザを開き、サーバーシステム２にアクセスし、ホームページを開く（＃２０）。次に、顧客のＩＤ及びパスワードの入力を行い、その顧客専用の画面に移行し、パソコン内部にある画像データをアップロードする（＃２１）。そして、一覧表でその写真店のプリント価格の確認を行う（＃２２）。この確認のための画面の構成例を図７に示す。ここに示されるのは、数多くある写真店のうちの顧客によって選択された写真店の価格表である。
【００４７】
なお、顧客は、会員登録する際に、自分が利用する写真店をあらかじめ指定することができる。あらかじめ指定しない場合は、プリント注文を行うたびに指定するようにすることもできる。表示されたプリント価格を確認できたら、画面上のＯＫボタンをクリックする。
【００４８】
次に、アップロードした画像データの夫々について、プリントサイズとプリント枚数を設定する（＃２３）。この設定を行うための画面の構成例を図８に示す。この画面には、アップロードされた画像の中の１枚が表示されている。設定が終われば、ＯＫボタンをクリックする。これをアップロードした全画像について行う（＃２４）。
【００４９】
すべての画像について、設定が終わると、プリント注文ＯＫボタンをクリックする。これにより、図９に示すような注文データファイルが生成される（＃２５）。この注文データファイルはテキストデータにより構成される。データには、サーバーシステム２により自動生成された注文番号、注文者会員番号（顧客ＩＤに対応する。) 、注文先データ（顧客が指定した写真店のＩＤに対応する。）が含まれる。また、各画像データについて、ファイル名、プリント枚数、プリントサイズが設定される。なお、ここで設定されるプリントサイズのデータは、ＩＤのみである。顧客のパソコン画面には、このＩＤに対応したプリント高さ、プリント幅、プリント価格のデータが表示されるが、注文データファイルには、プリント高さ等の具体的な数値データはなく、ＩＤのみである。
【００５０】
以上のように、注文データファイルが生成されると、アップロードされた画像データと共に、画像データベース３７に一旦データが保存・登録される。なお、図６のフローチャートにおいて、処理手順は図示される手順に限定されるものではない。例えば、ステップ＃２１、＃２２は入れ替えても良い。
【００５１】
＜プリント処理手順＞
次に、写真処理システム１において、オンラインプリント注文に係るプリント処理を行う場合の手順を図１０のフローチャートにより説明する。
【００５２】
まず、写真店のオペレータは、ブラウザを用いて、サーバーシステム２にアクセスし、ホームページを開く（＃３０）。次に、写真店のＩＤとパスワードを入力し、写真店専用の画面 (不図示) に移行する。この画面において、オンラインでプリント注文があったか否かを確認することができる。プリント注文は、例えば、一覧表にリストの形で表示される。プリント注文があったことが確認されると、画像データ及び注文データ（ファイル) をダウンロードする（＃３２）。ダウンロードされたデータは、写真処理システム１に設けられた画像データ記憶部１９と、注文データ記憶部２１に夫々記憶される（＃３３）。
【００５３】
プリント処理を開始するときは、プリント処理のための専用の画面を開く（＃３４）。これにより、注文データファイルの内容が解析される（＃３５）。すなわち、 プリントサイズに関するデータは、ＩＤのみであるから、このＩＤに対応する具体的なデータをプリントデータ記憶手段１４の中に登録されているデータから抽出する。そして、抽出されたプリントデータと共に画像データをモニター画面に表示させる。この表示画面の構成例を図１１に示す。
【００５４】
図１１において、ダウンロードした画像データのうちの１枚が表示される（＃３６）。表示画面の上には、注文番号、会員番号、注文者名が表示され、下方に、プリントデータＩＤに対応するプリント名称、プリント高さ、プリント幅等が表示される。なお、図１１の表示画面では画像が１枚しか表示されていないが、これを複数枚単位で表示するようにしてもよい。ダウンロードした画像について、すべてモニター画面に表示させて、注文内容を確認できると、プリント処理を開始する（＃３７）。画像データ記憶部１９から読み出された画像データは、画像処理部２３に送られて公知の画像処理が施された後、露光エンジン２４に転送される。露光エンジン２４により、写真感光材料に画像が焼付露光され、所定の現像処理が施された後、写真プリントが作成される（＃３８）。
【００５５】
＜別実施形態＞
（１）サーバーシステム２は、機能を分散した複数のサーバー装置により構成しても良い。例えば、Ｗｅｂページを提供するＷｅｂサーバー、画像ファイルを保存しておくファイルサーバー、会員情報等を登録しておくデータベースサーバー等に機能分散し、個々のサーバーの負荷を軽減する構成を採用しても良い。
【００５６】
（２）写真処理システムの構成としては、特定の構造のものに限定されない。例えば、写真感光材料を焼付露光し現像処理する機能を有するプリンタプロセッサーと、各種の記録媒体から画像データを取得するイメージプロセッサーとは別個の装置とし、これらを通信ケーブルにより接続しても良いし、上記のプリンタプロセッサーとイメージプロセッサーとが一体的に構成された装置でもよい。また、本実施形態では、パソコン１１を用いてインターネットとの接続を行っているが、プリンタプロセッサー１０内のコンピュータ１０ａ用いてインターネットに接続しても良い。
【図面の簡単な説明】
【図１】オンラインプリント注文システムの概略構成を示す模式図
【図２】オンラインプリント注文システムの機能を示すブロック図
【図３】  プリントデータ設定処理の手順を示すフローチャート
【図４】  プリントデータ設定画面の構成例を示す図
【図５】  プリントデータファイルの構成を示す図
【図６】顧客がオンラインプリント注文を行う場合の手順を示すフローチャート
【図７】プリント価格を確認するための画面の構成例
【図８】プリントサイズとプリント枚数を設定するための画面の構成例を示す図
【図９】注文データファイルの構成例を示す図
【図１０】オンラインプリント注文に係るプリント処理を行う際の手順を示すフローチャート
【図１１】プリント処理を行う時の表示画面の構成例を示す図
【符号の説明】
１        写真処理システム
２        サーバーシステム
３        クライアントシステム
１０      プリンタプロセッサー
１３      プリントデータ設定手段
１４      プリントデータ記憶手段
１７      データ送信手段
１８      データ受信手段
１９      画像データ記憶部
２０      サーバー装置
２１      注文データ記憶部
２２      データ解析手段
３０      パソコン
【図１】
0003821375.tif 000002
【図２】
0003821375.tif 000003
【図３】
0003821375.tif 000004
【図４】
0003821375.tif 000005
【図５】
0003821375.tif 000006
【図６】
0003821375.tif 000007
【図７】
0003821375.tif 000008
【図８】
0003821375.tif 000009
【図９】
0003821375.tif 000010
【図１０】
0003821375.tif 000011
【図１１】
0003821375.tif 000012